(57)【要約】【課題】不必要な電力の消費を極力少なく抑えることができる画像形成装置を提供する。【解決手段】コントローラ部１１０は、ジョブ種類を検知するジョブ種類検知回路部１１１と、プリンタ部１２０、リーダ部１３０、原稿処理部１４０、出力紙処理部１５０、操作部１６０の各機能部のうち、ジョブに使用する機能部の状態を検知するジョブ状態検知回路部１１２と、ジョブに使用される機能部によるジョブの処理状況に基づいて機能部への通電を遮断するか否かを判定するジョブ判定部１１３と、ジョブ判定部１１３の判定結果に基づいて各機能部への通電を遮断するための制御を行う通電制御回路部１１４とを有する。【選択図】      図２
2004220514.tif 000002
【特許請求の範囲】
【請求項１】
複数の処理手段を有し、前記複数の処理手段のうち、少なくとも１つの処理手段を用いて１つのジョブを処理する画像形成装置であって、
入力されたジョブの種類を検知するジョブ種類検知手段と、
前記ジョブ種類検知手段により検知されたジョブの種類に基づいて該ジョブに使用される処理手段によるジョブの処理状況を検知するジョブ状況検知手段と、前記ジョブ状況検知手段により検知された前記ジョブに使用される処理手段によるジョブの処理状況に基づいて該処理手段への通電を遮断するか否かを判定するジョブ判定手段と、
前記ジョブ判定手段の判定結果に基づいて対応する処理手段への通電を遮断するための制御を行う通電制御手段と
を備えることを特徴とする画像形成装置。
【発明の詳細な説明】
【０００１】
【発明の属する技術分野】
本発明は、複数の処理手段を有し、複数の処理手段のうち、少なくとも１つの処理手段を用いて１つのジョブを処理する画像形成装置に関する。
【０００２】
【従来の技術】
コピー機能、プリンタ機能、ファクシミリ機能などの複数の機能が複合化されている複合機などにおいては、各機能を実現するための複数の処理手段が設けられている。この複合機においては、省エネモードと称して、一定時間ジョブが行われない場合には、消費電力低減のための制御が自動的に開始される。また、ジョブの種類に応じて動作させる手段を選択し、ジョブの実行に必要とされない他の手段を起動せずに非通電状態に保持する制御が行われる。例えば、パーソナルコンピュータからのプリントジョブが入力された場合は、プリンタ機能を実行する手段のみが起動され、プリンタ機能の実行に必要となされない他の手段例えばスキャナや操作部などは起動されないとともに、非通電状態に保持される。
【０００３】
【発明が解決しようとする課題】
しかしながら、上記従来の消費電力低減のための制御では、省エネモードに移行するまでに一定の時間を必要とし、省エネモードに移行するまでの間は、ジョブ処理が行われていないにも関わらず電力が消費されている。また、ジョブの種類によって動作させる装置を選択する制御においては、動作した後の省エネモードへの移行には一定の時間を必要とする。例えば、上述したように、パーソナルコンピュータからのプリントジョブに対して、スキャナや操作部などは起動されないが、このプリントジョブ終了からプリントジョブがない状態が一定時間継続されるまでは、プリントジョブ終了後においてもプリンタへの電力供給は続行されているので、ジョブが終了した後も一定時間は不必要な電力を消費し続けていることになる。
【０００４】
本発明の目的は、不必要な電力の消費を極力少なく抑えることができる画像形成装置を提供することにある。
【０００５】
【課題を解決するための手段】
本発明は、上記目的を達成するため、複数の処理手段を有し、前記複数の処理手段のうち、少なくとも１つの処理手段を用いて１つのジョブを処理する画像形成装置であって、入力されたジョブの種類を検知するジョブ種類検知手段と、前記ジョブ種類検知手段により検知されたジョブの種類に基づいて該ジョブに使用される処理手段によるジョブの処理状況を検知するジョブ状況検知手段と、前記ジョブ状況検知手段により検知された前記ジョブに使用される処理手段によるジョブの処理状況に基づいて該処理手段への通電を遮断するか否かを判定するジョブ判定手段と、前記ジョブ判定手段の判定結果に基づいて対応する処理手段への通電を遮断するための制御を行う通電制御手段とを備えることを特徴とする。
【０００６】
【発明の実施の形態】
以下、本発明の実施形態について図面を参照しながら説明する。
【０００７】
図１は本発明の一実施形態に係る画像形成装置のネットワーク接続例を示すブロック図である。本実施形態では、画像形成装置として、コピー機能、プリンタ機能、ファクシミリ機能などのうち、少なくとも２つ以上の機能を有する複合機を例に説明する。
【０００８】
本実施形態においては、図１に示すように、複数のクライアント１０１，１０２，１０３と、複数の複合機１０４，１０５，１０６と、ファイルサーバ１０７とがネットワーク１０８を介して接続されている。各クライアント１０１，１０２，１０３は、パーソナルコンピュータからなり、各クライアント１０１，１０２，１０３には複数のアプリケーションプログラムが実行可能に搭載されている。各クライアント１０１，１０２，１０３により作成された画像データは、一旦ファイルサーバ１０７に送られ、プリントキューに保存される。各複合機１０４，１０５，１０６は、ファイルサーバ１０７のプリントキューに所定間隔でアクセスする。ここで、各複合機１０４，１０５，１０６は、自機宛の画像データがあると、プリントキューから対応する画像データを取り出して自機内のハードディスクに保存し、この画像データをプリントキューから取り出した順番にプリントアウトする。また、各複合機１０４，１０５，１０６は、上記プリンタ機能の他に、コピー機能、プリンタ機能およびコピー機能による出力紙に対して後処理を施す後処理機能を有する。
【０００９】
次に、上記各複合機１０４，１０５，１０６の内部構成について図２を参照しながら説明する。図２は図１の複合機の内部構成を示すブロック図である。
【００１０】
各複合機１０４，１０５，１０６は、図２に示すように、コントローラ部１１０を備える。コントローラ部１１０は、一般的な画像処理機能、ネットワーク対応機能を有するとともに、各機能（プリンタ機能、コピー機能、後処理機能）を実現するために、プリンタ部１２０、リーダ部１３０、原稿処理部１４０、出力紙処理部１５０、操作部１６０、電源供給部１７０とのデータのやり取りおよびそれらに対する制御などを行う。
【００１１】
ここで、プリンタ部１２０は、電子写真方式により入力された画像を紙上に形成するものである。原稿処理部１４０は、原稿をリーダ部１３０に給送するものであり、リーダ部１３０は、原稿処理部１４０から給送された原稿上の画像を読み取り、この読み取られた画像はプリンタ部１２０に入力される。出力紙処理部１５０は、プリンタ部１２０から排紙された紙に対してステイプル、ソートなどの後処理を施すものである。操作部１６０は、ジョブの内容を入力操作し、また設定内容などを表示するためのものである。電源供給部１７０は、プリンタ部１２０、リーダ部１３０、原稿処理部１４０、出力紙処理部１５０、操作部１６０の各部へ電力を供給する。電源供給部１７０には、各部への通電のオン、オフを制御する通電切替回路部１７１が設けられており、ジョブが終了した各部への通電の有無を制御する。
【００１２】
また、コントローラ部１１０は、ジョブの種類を検知するジョブ種類検知回路部１１１を有する。ここで、ジョブ種類検知回路部１１１により検知されるジョブの種類とは、コピージョブ、プリンタジョブ、コピー機能と後処理機能とを組み合わせたジョブ、プリンタ機能と後処理機能を組み合わせたジョブのいずれであるか、また、片面または両面、出力紙サイズ例えばＡ４、連続出力枚数などを含むものである。
【００１３】
ジョブ種類検知回路部１１１により検知されたジョブの種類はジョブ状態検知回路部１１２に入力され、ジョブ状態検知回路部１１２は、入力されたジョブの種類に基づいてジョブに使用される部（プリンタ部１２０、リーダ部１３０、原稿処理部１４０、出力紙処理部１５０、操作部１６０）によるジョブの処理状況を検知する。ここでは、各部によるジョブの処理が終了したか否かの検知が行われる。例えば、原稿処理部１４０に対しては、それに設けられた原稿検知センサ（図示せず）の出力に応じて最終原稿の給送が終了したか否かを検知することにより、原稿処理部１４０のジョブの処理が終了したか否かが検知される。また、リーダ部１３０の場合、最終原稿の読取が終了したか否かに応じてジョブの処理が終了したか否かの検知が行われる。また、プリンタ部１２０、出力紙処理部１５０に関しても、同様に、最終紙の処理が終了したか否かに応じて処理が終了したか否かの検知が行われる。
【００１４】
ジョブ状態知回路部１１２により検知されたジョブの処理状況はジョブ判定回路部１１３に入力され、ジョブ判定回路部１１３は、入力されたジョブの処理状況に基づいて対応する部への通電を遮断するか否かを判定する。
【００１５】
ジョブ判定回路部１１３の判定結果は、通電制御回路部１１４に入力され、通電制御回路部１１４は、上記判定結果に応じて各部への通電を制御するための制御信号を出力する。
【００１６】
次に、プリンタ部１２０の内部構成について図３を参照しながら説明する。図３は図２のプリンタ部の内部構成を示すブロック図である。
【００１７】
プリンタ部１２０は、図３に示すように、コントローラ部１１０とデータおよび制御信号のやり取りを行う制御回路部１２１を有する。制御回路部１２１には、動作状態監視回路部１２２が設けられている。動作状態監視回路部１２２は、通電制御回路部１１４からの制御信号を受けると、現像バイアス、転写バイアスなどの高圧電源を供給する高圧電源回路部１２６および給紙、紙搬送などを行うための駆動回路部１２５の動作状態を監視し、それらの動作が停止した場合には、通電切替回路部１２３に制御信号を送出する。動作状態監視回路部１２２からの制御信号を受けた通電切替回路部１２３は、高圧電源回路部１２６および駆動回路部１２５への通電を遮断する。また、制御回路部１２１は、通電切替回路部１２３を介して、低圧電源回路部１２４からの制御回路部１２１への通電を除く、他の部へ通断を遮断する制御を行う。
【００１８】
このプリンタ部１２０は、上述したように電子写真方式による画像形成を行う。この画像形成プロセスにおいては、感光ドラムが一次帯電器により一様に帯電された後に、レーザビームにより露光される。これにより、感光ドラム上には静電潜像が形成され、この静電潜像は現像によりトナー像として可視像化される。そして、トナー像は、マルチ手差し給紙またはカセット給紙によりレジストローラを介して給紙された用紙上に転写され、このトナー像が転写された用紙は、感光ドラムから分離されて定着装置に送られる。定着装置においては、用紙上のトナー像が熱圧され、トナー像は用紙上に定着される。トナー像が定着された用紙は機外に排紙される。
【００１９】
また、用紙の両面に画像を形成する場合、用紙の表面のトナー像が定着された後に、この用紙は両面パスを介して再び感光ドラムに送られ、その裏面にトナー像が転写される。
【００２０】
トナー像の転写後、感光ドラムの表面はクリーニング手段により清掃され、感光ドラムの表面に残留したトナーが除去される。そして、感光ドラムの表面は、一次帯電器により所定電位に帯電される。
【００２１】
次に、複合機におけるプリンタ部１２０が単体で動作する場合すなわちプリントジョブの場合の制御について図４を参照しながら説明する。図４は図３のプリンタ部１２０が単体で動作する場合（プリントジョブの場合）の制御手順を示すフローチャートである。このフローチャートで示す手順は、コントローラ部１１０およびプリンタ部１２０の制御回路部１２１により実行されるものである。
【００２２】
プリンタ部１２０が単体で動作する場合すなわちプリントジョブの場合においては、ジョブが開始されると、コントローラ部１１０が現在通紙されている紙が本ジョブの最終紙であるか否かに応じて通電を遮断するための制御を行う。ここでは、コントローラ部１１０内のジョブ種類検知回路部１１１により、本ジョブの種類、例えば、片面、Ａ４、連続１０枚プリントなどのような情報が検知され、ジョブ状態検知回路部１１２により、上記検知されたジョブの種類に基づいて現在のジョブに使用されている部（ここではプリンタ部１２０）の進行状況が検知される。すなわち、現在通紙されている紙が本ジョブの最終紙であるか否かが検知される。そして、ジョブ判定回路部１１３が、ジョブ状態検知回路部１１２の検知情報に基づいて、ジョブの処理状況に基づいてプリンタ部１２０への通電を遮断するか否かを判定する。ここでは、現在通紙されている紙が本ジョブの最終紙であることが検知された場合、プリンタ部１２０への通電を遮断すると判定される。ジョブ判定回路部１１３によりプリンタ部１２０への通電を遮断すると判定された場合、通電制御回路部１１４は、上記判定結果に基づいてプリンタ部１２０への通電を遮断するための制御信号を出力する。
【００２３】
通電制御回路部１１４からの制御信号に応じて動作状態監視回路部１２２は、図４に示すように、最終紙の給紙が終了したか否かの判定を行い（ステップＳ１）、最終紙の給紙が終了したと判定された場合、通電切替回路部１２３により、駆動回路部１２５の給紙駆動部（図示せず）への通電が遮断される（ステップＳ２）。具体的には、通電制御回路部１１４からの上記制御信号はプリンタ部１２０の制御回路部１２１内の動作状態監視回路部１２２に送られる。動作状態監視回路部１２２は、通電制御回路部１１４からの制御信号を受けると、プリンタ部１２０内の高圧電源回路部１２６および駆動回路部１２５の動作状態を監視する。その結果、駆動回路部１２５の給紙駆動部の給紙動作が停止している場合、動作状態監視回路部１２２は、最終紙の給紙が終了したと判断し、上記給紙駆動部への通電遮断を指示する制御信号を通電切替回路部１２３に送出する。通電切替回路部１２３は、上記制御信号に基づいて駆動回路部１２５の給紙駆動部への通電を遮断する。
【００２４】
その後でも、動作状態監視回路部１２２による監視は続行されており、その結果、駆動回路部１２５内のその他搬送部（図示せず）による最終紙の搬送動作が停止している場合すなわち最終紙の搬送が終了している場合は（ステップＳ３）、その他搬送部への通電遮断を指示する制御信号が通電切替回路部１２３に送られ、通電切替回路部１２３は、上記制御信号に基づいて駆動回路部１２５におけるその他搬送部への通電を遮断する（ステップＳ４）。
【００２５】
さらに、動作状態監視回路部１２２による監視の結果、高圧電源回路部１２６の動作が停止している場合すなわち画像形成が終了している場合は（ステップＳ５）、高圧電源回路部１２６への通電遮断を指示するための制御信号が通電切替回路部１２３に送られ、通電切替回路部１２３は、上記制御信号に基づいて高圧電源回路部１２６への通電を遮断する（ステップＳ６）。
【００２６】
また、プリントジョブが終了すると、通電制御回路部１１４から電源供給部１７０の通電切替回路部１７１に制御信号が出力され、通電制御回路部１７１は、プリンタ部１２０への通電を遮断する。
【００２７】
上記制御により、プリントジョブ終了からスタンバイ状態へ移行するまでの期間中における不必要な電力の消費を必要最小限に抑制することが可能になり、さらなる省エネルギー化を実現することが可能になる。すなわち、プリントジョブ終了からスタンバイ状態へ移行するまでの期間中における電力の消費を従来の場合の電力の消費に比して低減することができる。
【００２８】
次に、プリンタ機能による出力紙を出力紙処理部１５０で後処理する場合すなわちプリンタ部１２０と出力紙処理部１５０を組み合せたジョブの場合の制御について図５を参照しながら説明する。図５はプリンタ部１２０と出力紙処理部１５０を組み合せたジョブの場合の制御手順を示すフローチャートである。このフローチャートで示す手順は、コントローラ部１１０およびプリンタ部１２０の制御回路部１２１により実行されるものである。
【００２９】
ジョブが開始されると、コントローラ部１１０が現在通紙されている紙が本ジョブの最終紙であるか否かに応じて通電を遮断するための制御を行う。ここでは、コントローラ部１１０内のジョブ種類検知回路部１１１により、本ジョブの種類、例えば、片面、Ａ４、１０枚プリント、ソート、ステイプルなどのような情報が検知され、ジョブ状態検知回路部１１２により、上記検知されたジョブの種類に基づいて現在のジョブに使用されている部（ここでは、プリンタ部１２０、出力紙処理部１５０）の進行状況が検知される。すなわち、現在通紙されている紙が本ジョブの最終紙であるか否かが検知される。そして、ジョブ判定回路部１１３が、ジョブ状態検知回路部１１２の検知情報に基づいて、ジョブの処理状況に基づいてプリンタ部１２０および出力処理部１５０への通電を遮断するか否かを判定する。ここでは、現在通紙されている紙が本ジョブの最終紙であることが検知された場合、プリンタ部１２０および出力紙処理部１５０への通電を遮断すると判定される。ジョブ判定回路部１１３によりプリンタ部１２０および出力紙処理部１５０への通電を遮断すると判定された場合、通電制御回路部１１４は、上記判定結果に基づいてプリンタ部１２０および出力紙処理部１５０への通電を遮断するための制御信号を出力する。
【００３０】
通電制御回路部１１４からの制御信号を受けた動作状態監視回路部１２２は、図５に示すように、最終紙の給紙が終了したか否かの判定が行われ（ステップＳ１１）、最終紙の給紙が終了したと判定された場合、通電切替回路部１２３により、駆動回路部１２５の給紙駆動部（図示せず）への通電が遮断される（ステップＳ１２）。具体的には、通電制御回路部１１４からの上記制御信号はプリンタ部１２０の制御回路部１２１内の動作状態監視回路部１２２に送られる。動作状態監視回路部１２２は、通電制御回路部１１４からの制御信号を受けると、プリンタ部１２０内の高圧電源回路部１２６および駆動回路部１２５の動作状態を監視する。その結果、駆動回路部１２５の給紙駆動部の給紙動作が停止している場合、動作状態監視回路部１２２は、最終紙の給紙が終了したと判断し、上記給紙駆動部への通電遮断を指示する制御信号を通電切替回路部１２３に送出する。通電切替回路部１２３は、上記制御信号に基づいて駆動回路部１２５の給紙駆動部への通電を遮断する。
【００３１】
その後においても動作状態監視回路部１２２による監視は続行されており、その結果、駆動回路部１２５内のその他搬送部（図示せず）による最終紙の搬送動作が停止している場合すなわち最終紙の搬送が終了している場合は（ステップＳ１３）、その他搬送部への通電遮断を指示するための制御信号が通電切替回路部１２３に送られ、通電切替回路部１２３は、上記制御信号に基づいて駆動回路部１２５のその他搬送部への通電を遮断する（ステップＳ１４）。
【００３２】
次いで、ジョブ判定回路部１１３により、ジョブ状態検知回路部１１２の情報に基づいて、出力紙処理部１５０でのジョブが終了しているか否かの判定が行われる（ステップＳ１５）。ここで、出力紙処理部１５０でのジョブが終了している場合は、通電制御回路部１１４は、ジョブ判定回路部１１３の判定結果に基づいて、出力紙処理部１５０への通電遮断を指示するための制御信号を通電切替回路部１７１に送出する。通電切替回路部１７１は、上記制御信号に基づいて出力紙処理部１５０への通電を遮断する（ステップＳ１６）。
【００３３】
さらに、動作状態監視回路部１２２による監視の結果、高圧電源回路部１２６の動作が停止している場合すなわち画像形成が終了している場合は（ステップＳ１７）、高圧電源回路部１２６への通電遮断を指示するための制御信号が通電切替回路部１２３に送られ、通電切替回路部１２３は、上記制御信号に基づいて高圧電源回路部１２６への通電を遮断する（ステップＳ１８）。
【００３４】
また、プリンタ部１２０における全ての処理が終了すると、通電制御回路部１１４から電源供給部１７０の通電切替回路部１７１に制御信号が出力され、通電制御回路部１７１は、プリンタ部１２０への通電を遮断する。
【００３５】
このように、プリンタ部１２０と出力紙処理部１５０を組み合せたジョブの場合、そのジョブ終了からスタンバイ状態へ移行する期間中における不必要な電力の消費を必要最小限に抑制することが可能になり、さらなる省エネルギー化を実現することが可能になる。すなわち、プリントジョブの場合と同様に、プリンタ部１２０と出力紙処理部１５０を組み合せたジョブの場合においても、そのジョブ終了からスタンバイ状態へ移行する期間中における電力の消費を従来の場合に比して低減することができる。
【００３６】
次に、コピー機能によりコピーを行い、その出力紙を出力紙処理部１５０で後処理する場合すなわち原稿処理部１４０、リーダ部１３０、プリンタ部１２０および出力紙処理部１５０を組み合わせたジョブの場合の制御について図６を参照しながら説明する。図６はコピー機能によりコピーを行い、その出力紙を出力紙処理部１５０で後処理する場合の制御手順を示すフローチャートである。このフローチャートで示す手順は、コントローラ部１１０により実行されるものである。
【００３７】
ジョブが開始されると、コントローラ部１１０内のジョブ種類検知回路部１１１により、本ジョブの種類、例えば、片面、Ａ４、１０枚プリント、ステイプルなどの情報が検知され、ジョブ状態検知回路部１１２により、ジョブ種類検知回路部１１１の情報に基づいて、現在のジョブの進行状況の検知が行われる。そして、図６に示すように、ジョブ判定回路部１１３により、ジョブ状態検知回路部１１２の情報に基づいて、原稿処理部１４０での最終原稿の給送処理（最終原稿のリーダ部１３０への給送処理）が終了しているか否かの判定が行われる（ステップＳ２１）。ここで、原稿処理部１４０での最終原稿の給送処理が終了している場合、通電制御回路部１１４は、ジョブ判定回路部１１３の判定結果に基づいて、原稿処理部１４０への通電遮断を指示するための制御信号を通電切替回路部１７１に送出する。通電切替回路部１７１は、上記制御信号に基づいて原稿処理部１４０への通電を遮断する（ステップＳ２２）。
【００３８】
次いで、ジョブ判定回路部１１３により、ジョブ状態検知回路部１１２の情報に基づいて、リーダ部１３０での最終原稿の読取処理が終了しているか否かの判定が行われる（ステップＳ２３）。ここで、リーダ部１３０での最終原稿の読取処理が終了している場合、通電制御回路部１１４は、ジョブ判定回路部１１３の判定結果に基づいて、リーダ部１３０への通電遮断を指示するための制御信号を通電切替回路部１７１に送出する。通電切替回路部１７１は、上記制御信号に基づいてリーダ部１３０への通電を遮断する（ステップＳ２４）。
【００３９】
次いで、通電制御回路部１１４からの制御信号を受けた動作状態監視回路部１２２により、最終紙の給紙が終了したか否かの判定が行われ（ステップＳ２５）、最終紙の給紙が終了したと判定された場合、通電切替回路部１２３により、駆動回路部１２５の給紙駆動部（図示せず）への通電が遮断される（ステップＳ２６）。具体的には、通電制御回路部１１４からの上記制御信号はプリンタ部１２０の制御回路部１２１内の動作状態監視回路部１２２に送られる。動作状態監視回路部１２２は、通電制御回路部１１４からの制御信号を受けると、プリンタ部１２０内の高圧電源回路部１２６および駆動回路部１２５の動作状態を監視する。その結果、駆動回路部１２５の給紙駆動部の給紙動作が停止している場合、動作状態監視回路部１２２は、最終紙の給紙が終了したと判断し、上記給紙駆動部への通電遮断を指示する制御信号を通電切替回路部１２３に送出する。通電切替回路部１２３は、上記制御信号に基づいて駆動回路部１２５の給紙駆動部への通電を遮断する。
【００４０】
その後においても、動作状態監視回路部１２２による監視は続行されており、その結果、駆動回路部１２５内のその他搬送部（図示せず）による最終紙の搬送動作が停止している場合すなわち最終紙の搬送が終了している場合は（ステップＳ２７）、その他搬送部への通電遮断を指示するための制御信号が通電切替回路部１２３に送られ、通電切替回路部１２３は、上記制御信号に基づいて駆動回路部１２５のその他搬送部への通電を遮断する（ステップＳ２８）。
【００４１】
次いで、ジョブ判定回路部１１３により、ジョブ状態検知回路部１１２の情報に基づいて、出力紙処理部１５０でのジョブが終了しているか否かの判定が行われる（ステップＳ２９）。ここで、出力紙処理部１５０でのジョブが終了している場合、通電制御回路部１１４は、ジョブ判定回路部１１３の判定結果に基づいて、出力紙処理部１５０への通電遮断を指示するための制御信号を通電切替回路部１７１に送出する。通電切替回路部１７１は、上記制御信号に基づいて出力紙処理部１５０への通電を遮断する（ステップＳ３０）。
【００４２】
さらに、動作状態監視回路部１２２による監視の結果、高圧電源回路部１２６の動作が停止している場合すなわち画像形成が終了している場合は（ステップＳ３１）、高圧電源回路部１２６への通電遮断を指示するための制御信号が通電切替回路部１２３に送られ、通電切替回路部１２３は、上記制御信号に基づいて高圧電源回路部１２６への通電を遮断する（ステップＳ３２）。
【００４３】
このように、原稿処理部１４０、リーダ部１３０、プリンタ部１２０および出力紙処理部１５０を組み合せたジョブの場合、ジョブ終了からスタンバイ状態へ移行する期間中における不必要な電力の消費を必要最小限に抑制することが可能になり、さらなる省エネルギー化を実現することが可能になる。すなわち、原稿処理部１４０、リーダ部１３０、プリンタ部１２０および出力紙処理部１５０を組み合せたジョブの場合においても、そのジョブ終了からスタンバイ状態へ移行する期間中における電力の消費を従来の場合に比して低減することができる。
【００４４】
なお、本発明の目的は、前述した実施形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００４５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【００４６】
以下、本発明の実施態様を列挙する。
【００４７】
［実施態様１］  複数の処理手段を有し、前記複数の処理手段のうち、少なくとも１つの処理手段を用いて１つのジョブを処理する画像形成装置であって、入力されたジョブの種類を検知するジョブ種類検知手段と、前記ジョブ種類検知手段により検知されたジョブの種類に基づいて該ジョブに使用される処理手段によるジョブの処理状況を検知するジョブ状況検知手段と、前記ジョブ状況検知手段により検知された前記ジョブに使用される処理手段によるジョブの処理状況に基づいて該処理手段への通電を遮断するか否かを判定するジョブ判定手段と、前記ジョブ判定手段の判定結果に基づいて対応する処理手段への通電を遮断するための制御を行う通電制御手段とを備えることを特徴とする画像形成装置。
【００４８】
［実施態様２］  前記複数の処理手段は、それぞれ独立して駆動可能な手段からなり、互いに協働して異なる複数の機能を実現することが可能であることを特徴とする実施態様１記載の画像形成装置。
【００４９】
［実施態様３］  前記複数の処理手段は、互いに協働して、プリンタ機能と、コピー機能と、プリンタ機能およびコピー機能による出力紙に対して後処理を施す後処理機能とを実現することを特徴とする実施態様１記載の画像形成装置。
【００５０】
［実施態様４］  前記複数の処理手段のうち、少なくとも１つの処理手段は、それぞれ独立して動作可能な複数のモジュールからなり、前記少なくとも１つの処理手段は、前記通電制御手段により通電を遮断する制御を受けると、前記複数のモジュールのうち、前記ジョブに使用されるモジュールの動作状況に応じて該モジュールへの通電を遮断することを特徴とする実施態様１記載の画像形成装置。
【００５１】
［実施態様５］  複数の処理手段を有し、前記複数の処理手段のうち、少なくとも１つの処理手段を用いて１つのジョブを処理する画像形成装置の節電方法であって、入力されたジョブの種類を検知するジョブ種類検知工程と、前記ジョブ種類検知工程により検知されたジョブの種類に基づいて該ジョブに使用される処理手段によるジョブの処理状況を検知するジョブ状況検知工程と、前記ジョブ状況検知工程により検知された前記ジョブに使用される処理手段によるジョブの処理状況に基づいて該処理手段への通電を遮断するか否かを判定するジョブ判定工程と、前記ジョブ判定工程の判定結果に基づいて対応する処理手段への通電を遮断するための制御を行う通電制御工程とを有することを特徴とする画像形成装置の節電方法。
【００５２】
［実施態様６］  前記複数の処理手段は、それぞれ独立して駆動可能な手段からなり、互いに協働して異なる複数の機能を実現することが可能であることを特徴とする実施態様５記載の画像形成装置の節電方法。
【００５３】
［実施態様７］  前記複数の処理手段は、互いに協働して、プリンタ機能と、コピー機能と、プリンタ機能およびコピー機能による出力紙に対して後処理を施す後処理機能とを実現することを特徴とする実施態様５記載の画像形成装置の節電方法。
【００５４】
［実施態様８］  前記複数の処理手段のうち、少なくとも１つの処理手段は、それぞれ独立して動作可能な複数のモジュールからなり、前記少なくとも１つの処理手段は、前記通電制御手段により通電を遮断する制御を受けると、前記複数のモジュールのうち、前記ジョブに使用されるモジュールの動作状況に応じて該モジュールへの通電を遮断することを特徴とする実施態様５記載の画像形成装置の節電方法。
【００５５】
［実施態様９］  複数の処理手段を有し、前記複数の処理手段のうち、少なくとも１つの処理手段を用いて１つのジョブを処理する画像形成装置上で実行可能なプログラムであって、入力されたジョブの種類を検知するジョブ種類検知ステップと、前記ジョブ種類検知ステップにより検知されたジョブの種類に基づいて該ジョブに使用される処理手段によるジョブの処理状況を検知するジョブ状況検知ステップと、前記ジョブ状況検知ステップにより検知された前記ジョブに使用される処理手段によるジョブの処理状況に基づいて該処理手段への通電を遮断するか否かを判定するジョブ判定ステップと、前記ジョブ判定ステップの判定結果に基づいて対応する処理手段への通電を遮断するための制御を行う通電制御ステップとを有することを特徴とするプログラム。
【００５６】
［実施態様１０］  実施態様９記載のプログラムをコンピュータ読み取り可能に格納したことを特徴とする記憶媒体。
【００５７】
【発明の効果】
以上説明したように、本発明によれば、入力されたジョブの種類に基づいて該ジョブに使用される処理手段によるジョブの処理状況を検知し、ジョブに使用される処理手段によるジョブの処理状況に基づいて該処理手段への通電を遮断するか否かを判定し、この判定結果に基づいて対応する処理手段への通電を遮断するための制御を行うので、不必要な電力の消費を極力少なく抑えることができる。
【図面の簡単な説明】
【図１】本発明の一実施形態に係る画像形成装置のネットワーク接続例を示すブロック図である。
【図２】図１の複合機の内部構成を示すブロック図である。
【図３】図２のプリンタ部の内部構成を示すブロック図である。
【図４】図３のプリンタ部１２０が単体で動作する（プリンタ機能）場合の制御手順を示すフローチャートである。
【図５】プリンタ部１２０と出力紙処理部１５０を組み合せた場合の制御手順を示すフローチャートである。
【図６】コピー機能によりコピーを行い、その出力紙を出力紙処理部１５０で後処理する場合の制御手順を示すフローチャートである。
【符号の説明】
１０４，１０５，１０６  複合機
１１０  コントローラ部
１１１  ジョブ種類検知回路部
１１２  ジョブ状態検知回路部
１１３  ジョブ判定回路部
１１４  通電制御回路部
１２０  プリンタ部
１２１  制御回路部
１２２  動作状態監視回路部
１２３  通電切替回路部
１２４  低電圧電源回路部
１２５  駆動回路部
１２６  高圧電源回路部
１３０  リーダ部
１４０  原稿処理部
１５０  出力紙処理部
１６０  操作部
１７０  電源供給部
１７１  通電切替回路部
【図１】
2004220514.tif 000003
【図２】
2004220514.tif 000004
【図３】
2004220514.tif 000005
【図４】
2004220514.tif 000006
【図５】
2004220514.tif 000007
【図６】
2004220514.tif 000008